(57)【特許請求の範囲】
【請求項１】
自動販売機本体の前面を開閉する上下に延びる外扉の背面側に設けられ、投入された硬貨の真偽及び種類を識別する硬貨識別装置を備えた自動販売機において、
複数の硬貨を一度に投入可能な面積となっている上面を開口した投入口と投入口から投入された硬貨を硬貨識別装置に案内する案内面とを有する硬貨投入部を備え、
硬貨投入部を外扉の前面に設けられた開口部から後方に向かって延在して投入口に至るよう設けるとともに、投入口を外扉の前面よりも背面側に位置するように設けた
ことを特徴とする自動販売機。
【請求項２】
前記硬貨投入部を、外扉に設けられた開口部と、開口部に着脱可能に設けられ、投入口と案内面を有する硬貨投入部材とから構成した
ことを特徴とする請求項１記載の自動販売機。
【発明の詳細な説明】
【技術分野】
【０００１】
本発明は、硬貨を受け付けて商品を販売する自動販売機に関するものである。
【背景技術】
【０００２】
従来、この種の自動販売機としては、自動販売機本体の前面を開閉する外扉の背面側に設けられ、投入された硬貨の真偽及び種類を識別する硬貨識別装置を備えたものが知られている（例えば、特許文献１参照）。
【０００３】
また、ユニバーサルデザインの自動販売機として、上面が開口された投入口と投入口から投入された硬貨を硬貨識別装置に案内する案内部を有する硬貨投入部を外扉に設け、硬貨の投入を容易に行うことができるようにしたものが知られている（例えば、特許文献２参照）。
【特許文献１】特開２００４−１６４１７４号公報
【特許文献２】特開２００４−１６４１１０号公報
【発明の開示】
【発明が解決しようとする課題】
【０００４】
前記ユニバーサルデザインの自動販売機は、硬貨投入部が外扉の前面から前方に張り出しているため、自動販売機の外形寸法に規制がある設置場所には設置することができない。
【０００５】
本発明の目的とするところは、外形寸法に規制がある設置場所においてもユニバーサルデザイン化を図ることのできる自動販売機を提供することにある。
【課題を解決するための手段】
【０００６】
本発明は前記目的を達成するため、自動販売機本体の前面を開閉する上下に延びる外扉の背面側に設けられ、投入された硬貨の真偽及び種類を識別する硬貨識別装置を備えた自動販売機において、複数の硬貨を一度に投入可能な面積となっている上面を開口した投入口と投入口から投入された硬貨を硬貨識別装置に案内する案内面とを有する硬貨投入部を備え、硬貨投入部を外扉の前面に設けられた開口部から後方に向かって延在して投入口に至るよう設けるとともに、投入口を外扉の前面よりも背面側に位置するように設けている。
【０００７】
これにより、硬貨投入部が外扉の前面よりも背面側に配置され、外扉の前面から前方に張り出すことはない。
【発明の効果】
【０００８】
本発明によれば、硬貨投入部が外扉の前面よりも背面側に配置され、外扉の前面から前方に張り出すことはないので、外形寸法に規制がある自動販売機の設置場所においてもユニバーサルデザイン化を図ることができる。
【発明を実施するための最良の形態】
【０００９】
図１乃至図３は本発明の一実施形態を示すもので、図１は自動販売機の全体斜視図、図２は自動販売機の側面断面図、図３は硬貨投入口を示す外扉の要部側面断面図である。
【００１０】
この自動販売機は、前面が開口された自動販売機本体１０と、左右方向一端側が自動販売機本体１０の開口部の左右方向一端側に回転自在に支持され、自動販売機本体１０の開口を開閉する外扉２０とを備えている。
【００１１】
自動販売機本体１０は、内部を上下に仕切ることにより上部に商品収納室１１が設けられ、下部に機械室１２が設けられている。商品収納室１１は、上面側、背面側、底面側及び左右両側面側が断熱材１１ａによって囲まれている。商品収納室１１には、缶入り飲料またはペットボトル飲料等の商品を上下に積み重ねて収納し、下端側から商品を一つずつ搬出するための商品収納コラム１１ｂが複数設けられている。また、商品収納室１１の下部には、各商品収納コラム１１ｂから落下搬出された商品を前方に案内するための傾斜板１１ｃが前方に向かって下り傾斜を成すように設けられている。傾斜板１１ｃの下方には、商品収納室１１を冷却するための冷却器１１ｄ及び冷却器用送風機１１ｅが設けられている。更に、商品収納室１１の前面は、左右方向一端側が自動販売機本体１０に回転自在に支持された断熱性の内扉１３によって開閉されるようになっている。内扉１３の下部には、商品収納室１１側と外扉２０側とを連通する商品搬出口１３ａが左右方向に複数設けられ、各商品搬出口１３ａの上端側には商品搬出口１３ａを開閉するための搬出扉１３ｂが回転自在に支持されている。また、機械室１２内には、圧縮機１２ａ、凝縮器１２ｂ及び凝縮器用送風機１２ｃ等の冷凍機器が収納されている。
【００１２】
外扉２０には、自動販売機本体１０内に収納される販売商品の商品サンプルを展示するためのサンプル展示室２１、商品選択スイッチ２２、紙幣投入口２３、表示パネル２４、外扉開閉用のハンドル２５、硬貨返却口２６、商品取出口２７及び硬貨処理ユニット３０が設けられている。
【００１３】
硬貨処理ユニット３０は、互いに左右に配置されたユニバーサルデザイン仕様の硬貨投入部３１及び返却レバー３２とを有し、サンプル展示室２１の下方に位置する外扉２０の開口部３０ａに設けられている。また、硬貨処理ユニット３０は、前端が外扉２０の前面に位置するように外扉２０に取り付けられており、硬貨投入部３１及び返却レバー３２が外扉２０の前面よりも前方に張り出すことなく背面側に位置している。更に、硬貨処理ユニット３０は着脱可能に設けられている。
【００１４】
硬貨投入部３１の下方に位置する外扉２０の背面側には、硬貨投入部３１に投入された硬貨を真偽の判定及び種類の判別をして収納するための硬貨識別装置３３が設けられている。
【００１５】
硬貨投入部３１は、上方に向かって開口され、硬貨が投入される投入口３１ａと、投入口３１ａの下方に設けられ、硬貨識別装置３３に硬貨を排出するための排出口３１ｂと、投入口３１ａから排出口３１ｂに向かって下り傾斜を成すように設けられ、投入口３１ａから排出口３１ｂに向かって硬貨を案内するための案内面３１ｃを有している。投入口３１ａは複数の硬貨を一度に投入可能な面積となっており、投入口３１ａと排出口３１ｂとの間の空間は逆四角錐状となっている。また、硬貨投入部３１の排出口３１ｂは、硬貨識別装置３３の硬貨を受け入れる受口３３ａの上方に位置するように設けられ、排出口３１ｂから排出される硬貨は硬貨を案内するための通路を必要とすることなく直接受口３３ａに排出される。
【００１６】
以上のように構成された自動販売機において、利用者は複数の硬貨を投入口３１ａの上方から一度に投入口３１ａに投入する。これにより、投入された各硬貨は、案内面３１ｃによって案内されて排出口３１ｂから排出され、硬貨識別装置３３に受け入れられる。
【００１７】
また、自動販売機の設置環境によって、例えば通常の硬貨投入部を有する硬貨処理ユニット等、異なる仕様の硬貨処理ユニットを取り付ける場合には、硬貨処理ユニット３０を開口部３０ａから取り外し、開口部３０ａに異なる仕様の硬貨処理ユニットを取り付ける。
【００１８】
このように、本実施形態の自動販売機によれば、上面を開口した投入口３１ａと投入口３１ａから投入された硬貨を硬貨識別装置３３に案内する案内面３１ｃとを有する硬貨投入部３１を、外扉２０の前面よりも背面側に位置するように設けたので、硬貨投入部３１が外扉２０の前面よりも背面側に配置され、外扉２０の前面から前方に張り出すことはなく、外形寸法に規制のある自動販売機の設置場所においてもユニバーサルデザイン化を図ることができる。
【００１９】
また、硬貨投入部３１を、外扉２０に設けられた開口部３０ａと、開口部３０ａに着脱可能に設けられた硬貨処理ユニット３０とから構成したので、硬貨処理ユニット３０を取り外して例えば通常仕様の硬貨投入部を有する硬貨処理ユニットに変更する等、仕様の変更を容易に行うことができる。
【図面の簡単な説明】
【００２０】
【図１】自動販売機の全体斜視図
【図２】自動販売機の側面断面図
【図３】硬貨投入口を示す外扉の要部側面断面図
【符号の説明】
【００２１】
１０…自動販売機本体、２０…外扉、３０…硬貨処理ユニット、３０ａ…開口部、３１…硬貨処理ユニット、３１ａ…投入口、３１ｃ…案内面、３３…硬貨識別装置。
【図１】
0004965355.tif 000002
【図２】
0004965355.tif 000003
【図３】
0004965355.tif 000004